(57)【要約】手袋は、ハンド部分（１）と、このハンド部分（１）から延び、かつ手を挿入する開口部（３）で終端しているリスト部分（２）とを有している。このリスト部分（２）は、使用時に手袋の内面を形成する面に設けられた粘着材料（４）からなるバンド形態のずれ落ち防止手段を有している。従って、使用時に、この粘着部分（４）は、使用者により着用された衣服の袖口に押されて、手袋のリスト部分をこの袖口に密着させ、従って手袋のずれ落ちを防止することができる。
2008534794.tif 000002
【特許請求の範囲】
【請求項１】
ハンド部分（１）と、このハンド部分（１）から延び、手が挿入される開口部（３）で終端しているリスト部分（２）とを具備している手袋であって、前記リスト部分（２）は、使用時に手袋の内面を形成する面に設けられた粘着材（４）の領域を有し、従って、使用時に、この粘着材（４）は、手袋のずれ落ちを防止するように、使用者により着用された衣服の袖口と密着する手袋。
【請求項２】
手術用の手袋である請求項１の手袋。
【請求項３】
前記粘着材（４）の領域は、手袋の前記リスト部分（２）の内周全体を囲むように延びている請求項１又は２の手袋。
【請求項４】
前記粘着材は、使用時に、この粘着材の面に圧力を与えることにより機能する感圧性の粘着材である前記全ての請求項のいずれか１の手袋。
【請求項５】
前記粘着材（４）は、手袋の前記リスト部分（２）の面とは別に形成されから、この面に取着されている前記全ての請求項のいずれか１の手袋。
【請求項６】
前記粘着材（４）は、手袋の材料の未完成領域により形成されている前記全ての請求項のいずれか１の手袋。
【請求項７】
前記粘着材（４）は、手袋の仕上げ処理の間に手袋の下側領域を被膜して、手袋の下側材料の粘着性を維持し、さらに、使用の前にこの下側材料が汚染されるのを防止するストリップ材で覆われている請求項６の手袋。
【請求項８】
ストリップ材が、前記粘着材（４）の領域が、使用の前に汚染されるのを防止するように、この粘着材の領域を覆っている請求項１ないし５のいずれか１の手袋。
【請求項９】
前記ストリップ材は、離型剤で形成されている請求項７又は８の手袋。
【請求項１０】
前記ストリップ材は、このストリップ材が、伸張して、前記手袋の前記下側材料と接触するように、手袋の材料のエラストマー性と実質的に同じエラストマー性を有している請求項７ないし９のいずれか１の手袋。
【請求項１１】
手術用の手袋を製造する方法であって、手袋を成形する材料でフォーマをコーティングする工程と、手袋のリスト部分（２）の領域で、手袋の面にマスキング材を与えることと、手袋の滑らかな面を形成するように、手袋に仕上げ処理を果たす工程とを具備し、前記マスキング材は、手袋の粘着並びに/若しくは密着特性を維持するように、手袋の下側材料を前記仕上げ処理から保護する、方法。
【請求項１２】
前記仕上げ処理は、非粉末のコーティングを手袋の面に与えることを含んでいる請求項１１の方法。
【請求項１３】
手術用の手袋を製造する方法であって、手袋を成形する材料でフォーマをコーティングする工程と、手袋の滑らかな面を形成するように、手袋に仕上げ処理を果たす工程と、手袋のリスト部分の領域で手袋の面に粘着材を与える工程とを具備する方法。
【請求項１４】
使用の準備ができるまで前記粘着材を汚染から保護するように、この粘着材全体に渡って、取り外し可能な線形の材料のピースを与える工程を更に具備する請求項１３の方法。
【請求項１５】
前記マスキング材、若しくは、前記粘着材は、前記リスト部分（２）の周全体を囲むように延びているバンド（４）に与えられる請求項１１ないし１４のいずれか１の方法。
【請求項１６】
前記マスキング、若しくは、前記粘着材（４）は、使用時に手袋の内面を形成する手袋の面に与えられる請求項１１ないし１５のいずれか１の方法。
【請求項１７】
ハンド部分（１２）と、このハンド部分（１２）から延び、かつ手を挿入する開口部で終端しているリスト部分（１３）とを具備している手袋（１１）であって、この手袋（１１）の前記リスト部分は（１３）は、少なくとも前記開口部の領域において、使用時に手袋の内面を形成する面に与えられたエラストマー材（１４）で補強されている手袋。
【請求項１８】
前記エラストマー材は、前記リスト部分の開口部から長手方向に延びたバンド（１５）、若しくは、螺旋状に延びたバンド（１４）である請求項１７の手袋。
【請求項１９】
前記エラストマー材は、ドットのパターンで与えられている請求項１７の手袋。
【請求項２０】
前記エラストマー材は、手袋（１１）の本体と、補強材（１４）とのために使用されている請求項１７ないし１９のいずれか１の手袋。
【請求項２１】
手袋を製造する方法であって、手袋（１１）を成形する材料でフォーマをコーティングする工程と、カフス部分（１３）に補強並びに把持手段（１４）を形成するように、手袋のカフス部分（１３）を形成するフォーマの手袋の材料エリアに更なるエラストマー材（１４）を選択的に与える工程とを具備する方法。
【請求項２２】
前記エラストマー材は、手袋（１１）が前記フォーマにあるとき、必要なパターンで手袋に与えられる請求項２１の方法。
【発明の詳細な説明】
【技術分野】
【０００１】
本発明は、手術用の手袋等、特に、手袋のカフスに設けられたずれ落ち防止の手段を有するような手袋に関する。
【背景技術】
【０００２】
手術用の手袋は、着用者が手袋をはめるのを容易にさせるために、滑らかですべりの良い内面を有するように設計されている。このような手袋は、代表的に綿を基礎とした手術用の手術着を覆うように着用されるように設計されている。しかし、近年、このような手術着用の材料にかなりの進歩があり、材料の不浸透性の改良が、材料の防湿特性を改善する疎水性成分で材料を処理することにより達成されたことが、含まれる。手術用の手袋が代表的に形成される材料は、粘着性のある接着特性を有し、使用者の手への手袋の着脱を容易にするように、成形された手袋は、手袋の面を滑らかにする材料で処理される。しかし、既存の手袋と手術着のデザインが有する現在の課題は、手袋の面が滑らかであることにより、手袋のカフスが使用中に下がってきて、手術着の織物の袖口が露出され、従って、感染の可能性のある物質が染み込む危険があることである。
【発明の開示】
【発明が解決しようとする課題】
【０００３】
この課題を克服するために、手袋のモールド成形処理の間に、手袋の材料中にモールド成形されたテクスチャード加工のリスト部分を有する手袋が設計されている。例えば、米国特許公報第４０９５２９３号は、ずれ落ちを防止するように動作し、手袋の開口部領域に設けられ、そして周方向に延びた複数の溝部に加えて、手袋のリスト部分の外周を囲むようにモールド成形された複数の細長いチャネル部を有するモールド成形の手袋を開示している。しかし、この形態は、手袋に溝部をモールド成形することが、リスト並びにカフスの周りの材料を薄くさせてしまうという問題を有している。さらに、溝部がモールド成形される方法と、手袋がフォーマから除去される際に裏返しにされているという事実とにより、溝部は、手袋の外面に形成され、従って、手袋は、溝部が把持機能を果たすために、使用の前に再び裏返される必要がある。
【課題を解決するための手段】
【０００４】
本発明に従えば、ハンド部分と、このハンド部分から延び、かつ手が挿入される開口部で終端しているリスト部分とを有し、このリスト部分は、使用時に手袋の内面を形成する面に設けられた粘着材の領域を有し、従って、使用時に、この粘着材は、使用者により着用された衣服の袖口に押されて、手袋のリスト部分を袖口に粘着させ、従って、手袋のずれ落ちを防止することができる手袋、特に手術用の手袋が、提供される。
【０００５】
本発明に従った手袋は、手袋のリスト部分と手術着の外面との間に物質が進入するのを防止するように、更なるバリアを与える形態で、手術用の手袋のリスト部分のずれ落ちを防止するための効率的で信頼性のあるシステムを提供するという利点を有している。
【０００６】
好ましくは、前記粘着材は、使用時に衣服の袖口の外周全体を囲むように袖口に手袋を留めるように、バンド内にあり得る手袋のリスト部分の内周面を囲むように延びている。これは、特に安定性のある効果的な形態で手袋を衣服に留めるという効果を有している。
【０００７】
前記粘着材は、これが動作する前に、適切な粘着性、若しくは非粘着性の面を示す感圧性の粘着材であり得る。この粘着材は、また、マイクロカプセル化されることもできる。手袋は、手術着を覆うように着用されると、使用者は、カフスエリアの周りに圧力を加えて粘着剤を作用させ、従って、手術着への粘着を可能にする程度にカフスエリアの密着を果たす。
【０００８】
前記粘着材自体は、粘着材を保護する特殊なライナー、即ち離型剤で覆われることができる。この離型剤は、粘着材が、必要とされるまでくっつくのを防止し、ちり、ほこり等で汚染されるのを防止し、そうでなければ、粘着材から容易に取り外されるように粘着材に対する低い粘着性を有しつつ、使用の準備ができるまで粘着材の粘着性を低減させてしまう。前記ライナーは、手袋が、粘着材を露出して手術着の袖口に留まるように着用されると、使用者により外される。このライナーの材料は、手袋と一緒に拡大並びに伸張するように、手袋のエラストマー性と同一、若しくは類似のエラストマー性を有することが便宜的である。
【０００９】
粘着性のストリップは、手袋が、成形されて、適切な仕上げ材で仕上げられた後に、手袋の面とは別にこの面に与えられる材料で形成されることができる。例えば、手袋に粘着材が与えられる前に、粘着材自体は、粘着テープを形成するように、手袋のエラストマー性と類似したエラストマー性を示す適切な裏材料に規定されることができる。代わって、粘着材は、
溶液、ゲル、若しくは溶融状態として与えられることができる。
【００１０】
代わって、粘着ストラップは、手袋の材料の未完成の領域により形成されることができる。
【００１１】
従って、本発明は、手袋を形成するように所定の材料でフォーマをコーティングする工程と、手袋のリスト部分の領域で手袋の面にマスキング材を与える工程と、手袋の滑らかな面を形成するように手袋に仕上げの動作を果たす工程とを有し、前記マスキング材は、下側の手袋材料の粘着性並びに/若しくは密着性を維持するように、手袋材料を仕上げの動作から保護する、手術用の手袋を製造する方法を更に提供している。
【００１２】
好ましくは、前記マスキング若しくは粘着材は、リスト部分の外周全体を囲むように延びているバンドに与えられ、使用時に手袋の内面を形成する面に位置されている。手袋は、使用時に、手術着の袖口の外側とオーバーラップする。
【００１３】
本発明の他の態様に従えば、手袋、特に手術用の手袋であって、ハンド部分と、このハンド部分から延び、かつ手を挿入する開口部で終端しているリスト部分とを有し、手袋のこのリスト部分は、少なくとも前記開口部の領域で、使用時に手袋の内面を形成する面に与えられるエラストマー材料で補強されている手袋が提供される。
【００１４】
本発明は、手袋、特に手術用の手袋を製造する方法であって、手袋を成形するように所定の材料でフォーマをコーティングする工程と、カフス部分に補強並びに把持用の手段を形成するように、手袋のカフス部分を形成するフォーマの手袋材料のエリアに更なるエラストマー材料を選択的に与える工程とを有する方法を更に提供している。
【００１５】
本発明に従った手袋とこの手袋を製造する方法とは、カフス部分の領域で手袋の面に与えられる更なるエラストマー材料が、手袋の強度並びに一体性を維持しつつ、カフス部分のずれ落ちを効果的に作用するという効果を有している。
【００１６】
エラストマー材料は、複数の異なるパターンで与えられることができる。カフスの開口部から伸びている長手方向若しくは螺旋状のバンドが、特に効果的であるが、他のバンドの形態も、ドット等のように、可能である。
【００１７】
好ましくは、エラストマーの補強材は、手袋自体を成形するのに使用されるのと同じ材料、特にラテックスであり、１ｍｍの厚さで適用されることが好ましいが、他の厚さ並びに材料でも可能である。厚みのあるエラストマー材料は、特に、手袋がフォーマにあるときに、必要なパターンで手袋にスプレー若しくは押し出し成形される。
【００１８】
本発明が良く理解されるために、例として与えられている本発明の幾つかの実施形態が、添付図面を参照して説明されるだろう。
【発明を実施するための最良の形態】
【００１９】
図１に示されているような本発明に従った手術用の手袋は、一体的に成形されたハンド部分１とカフス部分２とを有している。このカフス部分は、手が挿入される開口部(hand opening)３で終端し、この開口部を通って、使用者は、手袋に手を入れることができる。この手袋は、フォーマ、即ち鋳型を使用して、当業者に良く知られた通常の方法に従って製造される。即ち、この鋳型に、ラテックスのようなエラストマー材料が、直接浸漬又は凝着浸漬されて、乾燥され、かくしてフィルムを形成する。このフィルムは、鋳型から実質的に剥がされる。手袋のカフス部分２には、粘着材料からなるバンド４が設けられている。このバンドは、カフス部分２の外周を囲むように、手が挿入される開口部３に対してほぼ平行、かつ近接して延びている。
【００２０】
一実施形態において、前記粘着材料からなるバンドは、手が挿入される開口部の領域で、成形されてはいるが未完成の手袋の粘着面に、粘着テープの周方向に延びたバンドを与えることにより、手袋自体の材料から形成されている。この粘着テープのバンドは、適切なスリップコーティングが手袋に与えられる次のコーティングプロセスの間、並びに/若しくは、手袋の面に滑らかな仕上げが施されるように、手袋の面が、例えば、化学的並びに/若しくは非粉末の材料で処理される間に、手袋の下側部分(underlying portion)を覆うように動作する。手袋材料で下側をバンド状に覆うことにより、この材料部分がコーティング若しくは仕上げ処理を受けないので、この材料部分の厚さは維持される。粘着テープは、手袋の使用の準備ができるまで、材料の下側部分を保護する。そして、使用者が手袋を手にはめて、内面の接着テープとカフス部分とが、使用者により着用された手術着の袖口の外面にオーバーラップさせる。そして、この粘着テープは、手袋の粘着性のある下側材料を露出するように使用者により外され、そして、手術着の外面が押されて、手術着に粘着される。従って、手袋のカフス部分は、ずれ落ちるのが防止される形態で所定の位置に留められる。
【００２１】
別の実施形態において、粘着性のバンドは、仕上げの工程に続いて、手袋の表面に与えられる別の材料により形成されている。この実施形態に従えば、手袋は、手袋の所望の形状に成形されたフォーマを設ける工程と、手袋を成形するように、例えば浸漬により、エラストマー材料の薄層で前記フォーマをコーティングする工程とにより、形成される。仕上げ材は、滑らかな面を形成するように、手袋の内面と外面との両方に与えられる。次に、線形の材料で覆われる可能性のある粘着性の周方向バンドが、手を挿入する開口部の領域で、手袋に与えられる。使用者は、内面に粘着部分があり、かつ手袋が、使用者により着用された手術着の袖口の外面とオーバーラップするように、手袋を手にはめる。線形の粘着材料は、設けられている場合、下側の粘着部分を露出させるように使用者により外され、手術着の外面に押されてこの外面に粘着され、従って、手袋のカフス部分を、ずれ落ちを防止する形態で留める。
【００２２】
次に図２において、ハンド部分１２とカフス部分１３とを有する手術用の手袋１１が示されている。この手袋は、フォーマ、即ち鋳型を使用して、通常の方法で製造される。即ち、この鋳型に、ラテックスのようなエラストマー材料がスプレー並びに浸漬され、従って薄いフィルムが形成され、このフィルムは、鋳型から実質的に剥がされる。
【００２３】
前記手袋１１のカフス部分１３は、厚みのあるエラストマー材料、特にラテックスの螺旋状のビードの形態で、補強ビード１４を有している。この補強ビードは、手袋が、（使用時に、着用者の肌に装着される手袋の内面を、スプレー若しくは押し出し成形等により形成する）フォーマにまだあるときに、手袋の最外面に与えられる。これら補強ビードは、手袋のカフス部分を強化する役割を果たし、従って、使用時のカフス部分のはがれ若しくはずれ落ち、いわゆる縮まり(scrunching)を防止する役割を果たしている。好ましくは、手袋は、０．２５ｍｍの厚さを有するラテックスで形成され、補強ビードが、１ｍｍの更なる厚さを加えている。
【００２４】
図３に示されている別の構成において、補強ビードは、手袋のリスト部分の外周を囲むように分配され、かつ長手方向に延びたストリップ１５で与えられている。しかし、こぶ(nodules)若しくはドットのようなパターンの他の構成も、可能である。
【図面の簡単な説明】
【００２５】
【図１】本発明の第1の実施形態に従った手術用の手袋の斜視図である。
【図２】本発明の第２の実施形態に従い、裏返された手袋の斜視図である。
【図３】本発明の第３の実施形態に従い、裏返された手袋の斜視図である。
【図１】
2008534794.tif 000003
【図２】
2008534794.tif 000004
【図３】
2008534794.tif 000005
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
ハンド部分（１）と、このハンド部分（１）から延び、手が挿入される開口部（３）で終端しているリスト部分（２）とを具備している手袋であって、前記リスト部分（２）は、使用時に手袋の内面を形成する面に設けられた粘着材（４）の領域を有し、この粘着材（４）は、手袋の材料の未完成領域により形成され、従って、使用時に、この粘着材（４）は、手袋のずれ落ちを防止するように、使用者により着用された衣服の袖口と密着する手袋。
【請求項２】
手術用の手袋である請求項１の手袋。
【請求項３】
前記粘着材（４）の領域は、手袋の前記リスト部分（２）の内周全体を囲むように延びている請求項１又は２の手袋。
【請求項４】
前記粘着材は、使用時に、この粘着材の面に圧力を与えることにより機能する感圧性の粘着材である請求項１ないし３のいずれか１の手袋。
【請求項５】
前記粘着材（４）は、手袋の仕上げ処理の間に手袋の下側領域を被膜して、手袋の下側材料の粘着性を維持し、さらに、使用の前にこの下側材料が汚染されるのを防止するストリップ材で覆われている請求項１ないし４のいずれか１の手袋。
【請求項６】
前記ストリップ材は、離型剤で形成されている請求項５の手袋。
【請求項７】
前記ストリップ材は、このストリップ材が、伸張して、前記手袋の下側材料と接触するように、手袋の材料のエラストマー性と実質的に同じエラストマー性を有している請求項５又は６の手袋。
【請求項８】
手術用の手袋を製造する方法であって、手袋を成形する材料でフォーマをコーティングする工程と、手袋のリスト部分（２）の領域で手袋の面にマスキング材を与えることと、手袋の滑らかな面を形成するように手袋に仕上げ処理を果たす工程とを具備し、前記マスキング材は、手袋の粘着並びに/若しくは密着特性を維持するように、手袋の下側材料を前記仕上げ処理から保護する方法。
【請求項９】
前記仕上げ処理は、非粉末のコーティングを前記手袋の面に与えることを含んでいる請求項８の方法。
【請求項１０】
前記マスキング材、若しくは、粘着材は、前記リスト部分（２）の周全体を囲むように延びているバンド（４）に与えられる請求項８又は９の方法。
【請求項１１】
前記マスキング材、若しくは、前記粘着材（４）は、使用時に手袋の内面を形成する手袋の面に与えられる請求項８ないし１０のいずれか１の方法。
【請求項１２】
ハンド部分（１２）と、このハンド部分（１２）から延び、かつ手を挿入する開口部で終端しているリスト部分（１３）とを具備している手袋（１１）であって、この手袋（１１）の前記リスト部分は（１３）は、少なくとも前記開口部の領域において、使用時に手袋の内面を形成する面に与えられたエラストマー材（１４）で補強されている手袋。
【請求項１３】
前記エラストマー材は、前記リスト部分の開口部から長手方向に延びたバンド（１５）、若しくは、螺旋状に延びたバンド（１４）である請求項１２の手袋。
【請求項１４】
前記エラストマー材は、ドットのパターンで与えられている請求項１２の手袋。
【請求項１５】
前記エラストマー材は、手袋（１１）の本体と、補強材（１４）とのために使用されている請求項１２ないし１４のいずれか１の手袋。
【請求項１６】
手袋を製造する方法であって、手袋（１１）を成形する材料でフォーマをコーティングする工程と、カフス部分（１３）に補強並びに把持手段（１４）を形成するように、手袋のカフス部分（１３）を形成するフォーマの手袋の材料エリアに更なるエラストマー材（１４）を選択的に与える工程とを具備する方法。
【請求項１７】
前記エラストマー材は、手袋（１１）が前記フォーマにあるとき、必要なパターンで手袋に与えられる請求項１６の方法。
【国際調査報告】
2008534794.tif 000006
2008534794.tif 000007
2008534794.tif 000008
2008534794.tif 000009
2008534794.tif 000010